(57)【要約】【課題】  靴中に触れることなく靴中に脱臭具をセットする。【解決手段】  紐、チェーン等の索２の両端に脱臭体３を取り付けている。脱臭具１は、紐、チェーン等の索２の両端に脱臭体３を取り付けているから、索２を持って脱臭体３を靴内に収容できる。脱臭体３や靴の内部を手で触れる必要はないから、衛生的である。 又、両方の脱臭体３が離ればなれになることはないので、脱臭体３の紛失を防止できる。【選択図】図２
0003109088.tif 000002
【実用新案登録請求の範囲】
【請求項１】
紐、チェーン等の索(２)の両端に脱臭体(３)(３)を取り付けた靴の脱臭具。
【請求項２】
脱臭体(３)は、麦飯石(31)であって索(２)の両端に夫々１又は複数個が取り付けられている請求項１に記載の靴の脱臭具。
【請求項３】
脱臭体(３)に貫通孔(30)が開設され索(２)を該貫通孔(30)に通して脱臭体(３)を取り付けている請求項１又は２に記載の脱臭具。
【請求項４】
索(２)の略中間部に引掛け用リング(４)が設けられている請求項１乃至３の何れかに記載の靴の脱臭具。
【請求項５】
脱臭体(３)は略球体であって、表面が磨き上げられている請求項１乃至４の何れかに記載の靴の脱臭具。
【考案の詳細な説明】
【技術分野】
【０００１】
本考案は、靴の中に入れて脱臭を行なう脱臭具に関するものである。
【背景技術】
【０００２】
脱臭剤を仕込んだ靴の中敷を用いる、或いは脱臭剤を充填した脱臭小袋を靴の内部に収容する(特許文献１)等により、靴内を脱臭することが行なわれている。
【０００３】
【特許文献１】登録実用新案第３０６７５００号公報
【考案の開示】
【考案が解決しようとする課題】
【０００４】
前記中敷や脱臭小袋は、それらを靴に装着するとき、及び靴から取り出すとき、靴の内部に直接に手が触れる。靴の内部は不衛生であるから、直接に手が触れることは避けたい。
又、１足分の、即ち、２つの中敷や脱臭小袋は、ばらけて紛失し易い。
本考案は、靴内への投入或いは取出しを、靴の内部に手が触れることなく行なうことを可能とし、又、紛失し難い脱臭具を明らかにするものである。
【課題を解決するための手段】
【０００５】
請求項１の脱臭具(１)は、紐、チェーン等の索(２)の両端に脱臭体(３)(３)を取り付けている。
【０００６】
請求項２は、請求項１の脱臭具(１)において、脱臭体(３)は、麦飯石(31)であって索(２)の両端に夫々１又は複数個が取り付けられている。
【０００７】
請求項３は、請求項１又は２の脱臭具(１)において、脱臭体(３)に貫通孔(30)が開設され索(２)を該貫通孔(30)に通して脱臭体(３)を取り付けている。
【０００８】
請求項４は、請求項１乃至３の脱臭具(１)において、索(２)の略中間部に引掛け用リング(４)が設けられている。
【０００９】
請求項５は、請求項１乃至４の脱臭具(１)において、脱臭体(３)は略球体であって、表面が磨き上げられている。
【考案の効果】
【００１０】
請求項１の脱臭具(１)は、紐、チェーン等の索(２)の両端に脱臭体(３)(３)を取り付けているから、索(２)を持って脱臭体(３)を靴内に収容できる。脱臭体(３)や靴(５)の内部を手で触れる必要はないから衛生的である。
【００１１】
請求項２の脱臭具(１)は、脱臭体(３)が麦飯石(31)であり、脱脂体(３)の形状が変化することがないから扱い易く、又、大きさの割には重いので、索(２)を持って靴の中に入れ易い。
【００１２】
請求項３の脱臭具(１)は、脱臭体(３)に貫通孔(30)を開設し、該貫通孔(30)に索(２)を通して両方の脱臭体(３)(３)を繋いでいるので、脱臭体(３)と索(２)の取付けが簡単且つ確実である。
【００１３】
請求項４の脱臭具(１)は、索(２)の略中間部に引掛け用リング(４)が設けられているので、靴に使用しないときは、リング(４)を利用して脱臭具(１)を下駄箱内に吊り下げておけば、脱臭具(１)の紛失を防止できると共に、下駄箱内の脱臭に効果を奏する。
【００１４】
請求項５の脱臭具(１)は略球体であって表面が磨き上げられているから、靴に当たっても靴を傷つけることはない。
靴(５)はつま先側が低くなっているから、球形の脱臭体(３)を靴に入れると、つま先側に自然に転がって、空気の滞留しがちなつま先側の脱臭を効果的に行なうことができる。
【考案を実施するための最良の形態】
【００１５】
本考案の脱臭具(１)は、紐、チェーン等の索(２)の両端に脱臭体(３)を取り付けて構成される。
脱臭体(３)は、実施例では麦飯石(31)であって、直径２cm〜５cmの略球体に、球体の中心を通って貫通孔(30)が開設されている。
球体の外周面は磨き上げられている。
【００１６】
索(２)は、図２に示す短靴(５)用では２０cm程度の長さで充分であるが、索(２)を長くすれば、図３に示すロングブーツ(51)にも使用可である。この場合、索(２)は、ブーツ(51)の筒長さＬの２倍に１０cm〜２０cm加えた長さとすることが適当である。
索(２)の略中央に吊下げ用リング(４)が取り付けられている。
索(２)の両端に、前記脱臭体(３)(３)がその貫通孔(30)に索(２)を通して取り付られる。
【００１７】
然して、図２に示す如く、一足の靴(５)の両方に脱臭体(３)(３)を入れる。靴(５)は、つま先側が低くなっているので、球形の脱臭体(３)は自然に靴のつま先側へ転がり、靴の甲(52)の内面に当たった時点で止まる。球形の脱臭体(３)の表面は磨き上げられているから、不用意に靴に当たっても、靴を傷つけることはない。
脱臭体(３)や靴(５)の内部に手を触れることなく、索(２)を支持して脱臭体(３)を靴内に入れることができる。
脱臭体(３)の脱臭作用によって、靴内が脱臭される。脱臭体(３)は靴(５)を変形させない程度に可及的につま先側、即ち、空気が滞留しがちな部分に位置しているから脱臭効果が大きい。
【００１８】
靴(５)を履くとき等、靴から脱臭体(３)を取り出す際は、索(２)の中央を引っ張り上げると、２つの脱臭体(３)(３)を一緒に取り出すことができる。このときも、脱臭体(３)や靴の内側に手を触ずに行なうことができる。
脱臭具(１)のリング(４)を利用して、下駄箱内に脱臭具(１)を吊り下げておけば、下駄箱内の脱臭に効果を奏する。
【００１９】
本考案は、上記の如く、脱臭具(１)は、紐、チェーン等の索(２)の両端に脱臭体(３)を取り付けているから、索(２)を持って脱臭体(３)を靴内に収容、或いは靴から取出しができる。脱臭体(３)や靴の内部を手で触れる必要はないから、衛生的である。
又、両方の脱臭体(３)が離ればなれになることはないので、脱臭体(３)の紛失を防止できる。特に、実施例の様に、転がって紛失し易い球形の脱臭体(３)では、索(２)で両方の脱臭体(３)(３)を繋いだことによる紛失防止効果は顕著である。
【００２０】
本考案の実施に際し、索(２)の両端に夫々複数の脱臭体(３)を取り付けることができる。  この場合、脱臭体(３)１個１個の形状を小さくできるから、脱臭体(３)が球形の場合、靴のつま先まで転がっていくため、空気の滞留する靴のつま先側を一層効果的に脱臭することができる。
【００２１】
尚、図４に示す如く、脱臭体(３)は、麦飯石の粒体や粉体等、脱臭作用を有する粒体や粉体(33)を通気性小袋に詰めた脱臭小袋(32)とすることも可能である。
【００２２】
上記実施例の説明は、本考案を説明するためのものであって、実用新案登録請求の範囲に記載の考案を限定し、或いは範囲を減縮する様に解すべきではない。又、本考案の各部構成は上記実施例に限らず、実用新案登録請求の範囲に記載の技術的範囲内で種々の変形が可能であることは勿論である。
【図面の簡単な説明】
【００２３】
【図１】脱臭具の正面図である。
【図２】短靴に脱臭具をセットした状態の説明図である。
【図３】ロングブーツに脱臭具をセットした状態の説明図である。
【図４】脱臭具の他の実施例の正面図である。
【符号の説明】
【００２４】
１  脱臭具
２  索
３  脱臭体
４  リング
【図１】
0003109088.tif 000003
【図２】
0003109088.tif 000004
【図３】
0003109088.tif 000005
【図４】
0003109088.tif 000006